(57)【要約】【課題】画面の大きさに制限のある携帯電話機やスマートフォン等の情報表示装置でアプリケーション・ソフトウェアの実行中において、表示中の画面と調和した広告を提供する。【解決手段】通信ネットワークを介して表示データを受信するデータ通信手段２０１と、プログラム及び表示データが保存される記憶手段２０６と、各種操作に伴うイベント入力を受け付ける入力手段２０２と、イベント入力に応答してプログラムの実行を行う制御手段２０５と、表示データの処理を行い画面に表示を行う表示手段２０７とを有し、表示手段２０７は画像処理手段２１０を含み、画像処理手段２１０は、前記広告デモンストレーションを表示する際、３Ｄオブジェクトの動きを定義するファイルを用いて、表示データをテクスチャとして３Ｄオブジェクトに貼り付ける処理を行う。【選択図】図２
2011103073.tif 000002
【特許請求の範囲】
【請求項１】
広告デモンストレーションを表示する情報表示装置であって、
通信ネットワークを介して表示データを受信するデータ通信手段と、
プログラム及び前記表示データが保存される記憶手段と、
各種操作に伴うイベント入力を受け付ける入力手段と、
前記イベント入力に応答して前記プログラムの実行を行う制御手段と、
前記表示データの処理を行い画面に表示を行う表示手段とを有し、
前記表示手段は画像処理手段を含み、
前記画像処理手段は、前記広告デモンストレーションを表示する際、３Ｄオブジェクトの動きを定義するファイルを用いて、前記表示データをテクスチャとして前記３Ｄオブジェクトに貼り付ける処理を行うことを特徴とする情報表示装置。
【請求項２】
データ通信手段は、ユーザ情報を受信し、
前記ユーザ情報に基づいて、前記広告デモンストレーションの内容が変化することを特徴とする請求項１記載の情報表示装置。
【請求項３】
さらに、センサを有し、
前記センサの情報に基づいて、前記３Ｄオブジェクトの挙動が変化し、前記広告デモンストレーションの内容が変化することを特徴とする請求項１または２記載の情報表示装置。
【請求項４】
前記センサは、現在位置、方向、加速度、照度又は音のいずれかを検知するものであることを特徴とする請求項３記載の情報表示装置。
【請求項５】
前記センサは、前記情報表示装置の傾きを検知し、検知された傾きに応じて、前記３Ｄオブジェクトの挙動が変化することを特徴とする請求項３記載の情報表示装置。
【請求項６】
前記表示データは、電子出版物の紙面、ウェブブラウザの表示画面、またはアプリケーションウィンドウ内の表示画面の画像データであることを特徴とする請求項１〜５のいずれか１項に記載の情報表示装置。
【発明の詳細な説明】
【技術分野】
【０００１】
本発明は、携帯端末にも適用可能な情報表示装置に関し、特に、ウェブブラウザを用いてウェブページ、又は電子出版物等を表示するとともに広告を表示する情報表示装置に関する。
【背景技術】
【０００２】
従来、携帯電話やスマートフォン等では画面の大きさの制限等から、ウェブブラウザや電子書籍ビューアにおいてはバナー広告程度の単純な表示をするしかなかった。
【０００３】
また、パーソナルコンピュータにおいては、インターネット上のポータルサイト等では、表示している画面に重ねて広告のデモンストレーションを実行し、ウェブサイトからシームレスに広告に繋げているように見せているものなどがあるが、それらは開始前の画面を模したものから開始するデモンストレーションを使って見せて実現している。しかし、その場合はあくまでもポータルサイト等に模した画面を使っているため、デモンストレーションを開始したときに表示画面が急に変わる等、不自然であった。
【０００４】
なお、このような広告配信に関する技術としては、例えば、特許文献１〜４に記載される技術などが挙げられる。特許文献１（特開２００８−２５０５７８号公報）は、携帯電話機においてサイズが変化するバナー広告を表示するものである。特許文献２（特開２００８−０８９７１７号公報）は、電子ブックにおいて空白のページにユーザの属性から選択した広告を表示するものである。特許文献３（特開２００９−０３８４８１号公報）は、再生している映像の特徴と端末装置に適した広告データを配信するものである。特許文献４（特開２００７−２８０３６３号公報）は、携帯の位置情報を利用して適切な広告を表示／送信するものである。
【先行技術文献】
【特許文献】
【０００５】
【特許文献１】特開２００８−２５０５７８号公報
【特許文献２】特開２００８−０８９７１７号公報
【特許文献３】特開２００９−０３８４８１号公報
【特許文献４】特開２００７−２８０３６３号公報
【発明の概要】
【発明が解決しようとする課題】
【０００６】
本発明の目的は、画面の大きさに制限のある携帯電話機やスマートフォン等の情報表示装置でアプリケーション・ソフトウェアの実行中において、表示中の画面と調和した広告を提供することである。
本発明の前記並びにその他の目的と新規な特徴は、本明細書の記述及び添付図面から明らかになるであろう。
【課題を解決するための手段】
【０００７】
本願において開示される発明のうち、代表的なものの概要を簡単に説明すれば、次のとおりである。
すなわち、本願発明による情報表示装置は、広告デモンストレーションを表示する情報表示装置であって、通信ネットワークを介して表示データを受信するデータ通信手段と、プログラム及び前記表示データが保存される記憶手段と、各種操作に伴うイベント入力を受け付ける入力手段と、前記イベント入力に応答して前記プログラムの実行を行う制御手段と、前記表示データ処理を行い画面に表示を行う表示手段とを有し、前記表示手段は画像処理手段を含み、前記画像処理手段は、広告デモンストレーションを表示する際、３Ｄオブジェクトの動きを定義するファイルを用いて、前記表示データをテクスチャとして前記３Ｄオブジェクトに貼り付ける処理を行うことを特徴とするものである。
また、前記情報表示装置のデータ通信手段は、ユーザ情報を受信し、前記ユーザ情報に基づいて、前記広告デモンストレーションの内容が変化することを特徴とするものである。
また、前記情報表示装置は、さらに、センサを有し、前記センサの情報に基づいて、前記３Ｄオブジェクトの挙動が変化し、前記広告デモンストレーションの内容が変化することを特徴とするものである。
【発明の効果】
【０００８】
情報表示装置の表示画面において、そのときまで表示していた画面から違和感なく３Ｄ表示や動画再生を伴う多彩な広告デモンストレーションに引き継ぐので、閲覧中のウェブサイトや電子出版物と調和した広告とすることができる。
【図面の簡単な説明】
【０００９】
【図１】本発明の一実施の形態による広告システムの構成例を示すブロック図である。
【図２】図１に示す携帯型情報表示装置の構成例を示すブロック図である。
【図３】複数の画像をオーバーラップして表示画面上に表示する処理の概念図である。
【図４】携帯型情報表示装置の一例を示す外観図である。
【図５】携帯型情報表示装置の表示画面上に表示される広告デモンストレーションの一例を示す図である。
【図６】携帯型情報表示装置の表示画面上に表示される広告デモンストレーションの一例を示す図であり、（ａ）は紙面レイヤ、（ｂ）は動画レイヤを示す。
【図７】携帯型情報表示装置の表示画面上に表示される広告デモンストレーションの他の一例を示す図であり、（ａ）は動画の初期の表示、（ｂ）は動画の途中の表示を示す。
【図８】３Ｄアニメーション・ファイルの概念図であり、（ａ）は図５で示した広告デモンストレーションの定義ファイル、（ｂ）は図７で示した広告デモンストレーションの定義ファイルを示す。
【図９】加速度センサの傾き情報から広告内のオブジェクトを傾ける処理の一例を示す図である。
【発明を実施するための形態】
【００１０】
以下、本発明の実施の形態を図面に基づいて詳細に説明する。なお、実施の形態を説明するための全図において、同一部材には原則として同一の符号を付し、その繰り返しの説明は省略する。
【００１１】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１２】
図１は本発明の一実施の形態による広告システムの構成例を示すブロック図である。まず、図１により、本実施の形態による広告システムの構成の一例を説明する。本実施の形態の広告システムは、例えば、インターネット等の通信ネットワークを利用して情報表示装置に各種情報及び広告を配信するシステムである。本実施の形態による広告システムは、例えば、情報配信センター１０１に設けられた情報配信装置１０７、ＦＴＰ（File Transfer Protocol）サーバ１０８及び管理サーバ１０９と、パーソナルコンピュータ（ＰＣ）等の情報表示装置１０２と、携帯型情報表示装置（例えば、携帯電話機、スマートフォン、ＰＤＡ等の携帯端末）１０３とから構成される。情報表示装置１０２は、インターネット１０４等の通信ネットワーク、またはインターネット１０４に接続されたアクセスポイント１０５などを介して、情報配信センター１０１に接続されている。携帯型情報表示装置１０３は、情報配信センター１０１に接続されているインターネット１０４に接続された携帯電話通信網１０６、または情報配信センター１０１に接続されているインターネット１０４に接続されたアクセスポイント１０５等に無線接続されている。また、情報表示装置１０２及び携帯型情報表示装置１０３は、インターネット１０４、アクセスポイント１０５及び携帯電話通信網１０６を介して、情報配信装置１０７内のＷｅｂ（ウェブ）サーバ１１０に接続されている。
【００１３】
次に、情報配信センター１０１に設けられた情報配信装置１０７の構成を説明する。情報配信装置１０７は、例えば、Ｗｅｂサーバ１１０と、広告サーバ１１１と、ユーザ情報サーバ１１２と、課金サーバ１１３と、処理プログラム１１４と、データベース（画像データ、属性情報、ＸＭＬデータ）１１５と、データベース（広告コンテンツ）１１６と、データベース（ユーザ情報、課金情報）１１７とから構成されている。なお、情報配信センター１０１内のそれぞれのサーバ、データベースは、同一の場所にあっても良いし、ネットワーク等で接続されるなどして、それぞれ別の場所にあっても良い。
【００１４】
情報配信装置１０７は、通信ネットワークにＶＰＮ（Virtual Private Network）等を適用して専用回線化された通信回線に接続されている新聞社、出版社等の編集用の表示端末等（図示せず）から、実際に印刷されて配達される新聞の元データとなっている各新聞の実紙面イメージの画像情報をそのまま、情報配信センター１０１内に設けられたＦＴＰサーバ１０８を介して受信し、受信した実紙面イメージの画像のデータを、情報配信装置１０７に組み込まれた処理プログラム１１４によりページ毎に取り込んで圧縮符号化された画像データを作成する。また、同様にして、書籍・雑誌や、新聞・雑誌等に掲載される掲載広告の実紙面イメージの画像についても、ＦＴＰサーバ１０８を介して受信し、受信した実紙面イメージの画像のデータを、情報配信装置１０７に組み込まれた処理プログラム１１４により、ページ毎に取り込んで圧縮符号化された画像データを作成する。
【００１５】
情報配信装置１０７内の処理プログラム１１４は、受信した新聞、書籍・雑誌、掲載広告等の実紙面イメージの画像のデータを、発行日、紙面頁、紙面名等の付随する属性情報とともに取り込み、ＪＰＥＧ（Joint Photographic Experts Group）、ＭＰＥＧ（Moving Picture Experts Group）等に圧縮符号化された複数の画像データを生成し、生成された画像データを、取り込まれた付随する属性情報と紙面全体に対する表示位置及び表示範囲の相対座標データ等とともに、索引情報を付与してデータベース１１５に保存する。
【００１６】
処理プログラム１１４は、さらに、データベース１１５に保存された紙面毎の複数の画像データやその属性情報を呼び出して携帯型情報表示装置１０３または情報表示装置１０２の表示画面上に実紙面イメージ通りの画像やその付随する属性情報を表示するために、保存された画像データを指定したアドレスや、画像データの表示位置を決める相対座標等が記載されたＸＭＬ（eXtensible Markup language）データを自動生成して一旦データベースに保存する。
【００１７】
情報配信装置１０７は、Ｗｅｂサーバ１１０を備え、Ｗｅｂサーバ１１０は、実紙面イメージの画像を表示する携帯型情報表示装置１０３または情報表示装置１０２から、インターネット１０４に接続された無線ＬＡＮのアクセスポイント１０５、またはインターネット１０４に接続された携帯電話通信網１０６等の通信ネットワークを介して要求された信号に応答し、画像データ及びその属性情報と、この画像データ及び付随する属性情報を携帯型情報表示装置１０３の表示画面上に表示するための情報が記載されたＸＭＬデータを送信する。画像データやＸＭＬデータは、ＨＴＴＰ（Hyper Text Transfer Protocol）あるいはＨＴＴＰＳ（HTTP over Secure Socket Layer）を用いて配信される。ＨＴＴＰ又はＨＴＴＰＳは、Ｗｅｂサーバ１１０内に組み込まれており、Ｗｅｂサーバ１１０は汎用のパーソナルコンピュータ（ＰＣ）等に実装できる。
【００１８】
例えば、携帯型情報表示装置１０３から検索情報がＷｅｂサーバ１１０に送信され、Ｗｅｂサーバ１１０は、携帯型情報表示装置１０３から送信された検索情報を基に対応するＸＭＬデータをデータベース１１５から読み出して携帯型情報表示装置１０３に送信し、携帯型情報表示装置１０３がＸＭＬデータを処理して対応する画像データ及び付随する属性情報を要求し、この要求に応えてＷｅｂサーバ１１０は、画像データ及び付随する属性情報をデータベース１１５から読み出して携帯型情報表示装置１０３に送信する。
【００１９】
ユーザ情報サーバ１１２は、ユーザ情報の登録を担い、配信したコンテンツの情報とともにユーザに関する情報（居住地域、年齢、性別、趣味、嗜好、職業等）をデータベース１１７に保存する。課金サーバ１１３は、有料コンテンツとして配信する場合にユーザが購入手続きを行うためのオプションサーバである。これらのユーザ情報は、広告を配信する際のマーケティング情報として利用できる。ユーザ情報サーバ１１２、課金サーバ１１３及びデータベース１１７は、情報配信センター１０１内に限らず、ネットワーク接続により外部に設けてもよい。
【００２０】
広告としては、チラシ広告以外にも、新聞、書籍、雑誌等の実紙面イメージに重ねて別途設けた情報表示窓に、この広告を表示することができる。これらの機能の詳細は後述する。このほか、これらの機能以外の付随するサポート機能を処理し、データや通信機能等の監視、保護、メインテナンスを行うための管理サーバ１０９を備えている。
【００２１】
なお、情報配信センター１０１内のＦＴＰサーバ１０８、管理サーバ１０９及び情報配信装置１０７は、ワークステーションや市販のパーソナルコンピュータを用いて構成することができる。また、記憶装置を有するデータベース１１５，１１６，１１７も別途のコンピュータを用いて構成することができる。
【００２２】
次に、図２を参照して、携帯型情報表示装置１０３の構成を説明する。図２は、図１に示した携帯型情報表示装置１０３の構成例を示すブロック図である。図２に示すように、携帯型情報表示装置１０３は、例えば、データ通信手段２０１と、入力手段（操作部）２０２と、外部入出力手段２０３と、カードＩ／Ｆ（インターフェイス）部２０４と、制御手段（ＣＰＵ）２０５と、ＲＯＭ（Read Only Memory）、Ｆｌａｓｈメモリ、ＲＡＭ（Random Access Memory）及びＳＳＤ（Solid State Drive）／ＨＤＤ（Hard Disk Drive）等の記憶手段２０６と、表示手段２０７と、加速度センサ、位置検出センサ、照度検出センサ、音声検出センサ等のセンサ２０８とから構成される。また、カードＩ／Ｆ部２０４には、メモリカード２０９が接続される。また、表示手段２０７は、画像処理手段２１０、フレームバッファ（図示せず）、ＬＣＤ（液晶）ディスプレイ等の表示画面（図示せず）などを備えている。画像処理手段２１０は、３Ｄ（３次元）演算部２１１、３Ｄ描画部２１２、２Ｄ（２次元）描画部２１３、画像合成部２１４などから構成され、フレームバッファを介して表示画面上に表示される画像データの処理を行う。
【００２３】
入力手段（操作部）２０２は、タッチキー、キーボタン、タッチパネル等で構成され、各種操作を行うものである。表示手段２０７は、入力手段２０２の操作に応じて、ＬＣＤ等の表示画面上に実紙面イメージの画像又はデータ処理された画像などを表示する。表示される画像データ及びその属性データの元データは、データ通信手段２０１によって、携帯電話通信網１０６や、無線ＬＡＮのアクセスポイント１０５を介してインターネット１０４に接続された情報配信装置１０７から受信し、記憶手段２０６のＲＡＭ、Ｆｌａｓｈメモリ又はＳＳＤ等に取り込まれ、ユーザ操作に応じて入力手段２０２を介して、制御手段２０５にその処理が受け渡され、制御手段２０５の命令に従って画像処理手段２１０によりデータ処理が行われ、表示手段２０７を介して表示画面上に画像が表示される。
【００２４】
実紙面イメージの画像を表示する際は、ＪＰＥＧ（Joint Photographic Experts Group）等により圧縮符号化（エンコード）されたデジタル画像データをデータ通信手段２０１で受信し、受信した画像データを画像処理手段２１０により複合化処理（デコード）を行い、表示手段２０７のＬＣＤ等の表示画面上に表示できるように記憶手段２０６のＲＡＭ上に展開し、画像処理手段２１０によって、ユーザ操作に応じた画像を表示画面上に表示する。また、展開された画像データをＲＡＭから読み出し、ＯｐｅｎＧＬ／ＥＳ等のレンダリング処理を行い、動画、２Ｄ（２次元）画像、３Ｄ（３次元）画像等を表示画面上に表示する。
【００２５】
画像処理手段２１０は、ハードウェア又はソフトウェアエンジンにより構成されたデコーダ（圧縮データの復号化処理機能）を有しており、圧縮されたデジタル画像データを表示画面上に表示する際の復号化（デコード）処理を行い、また、ユーザによる縮小、拡大、移動操作に伴い入力手段２０２で発生したイベント入力に応じて、表示手段２０７に含まれるフレームバッファ（表示メモリ）上に縮小、拡大及び移動操作に応じた画像データの全部又は一部を記憶手段２０６のＲＡＭから転送して表示する。
【００２６】
制御手段（ＣＰＵ）２０５は、上記各処理を司り、記憶手段２０６のＲＯＭ、Ｆｌａｓｈメモリ、ＳＳＤ等に記憶されているプログラムを実行することで、各手段を機能させる。
【００２７】
外部入出力手段２０３は、ＵＳＢ（Universal Serial Bus）等で構成され、プリンタ、パーソナルコンピュータ、カメラなどが接続される。また、携帯型情報表示装置１０３に内蔵された２次電池（図示せず）にＵＳＢ端子を介して充電するために用いられる。さらに、外部入出力手段２０３から実紙面イメージの画像を表示するためのプログラムや画像データを受信してもよい。
【００２８】
カードＩ／Ｆ部２０４は、携帯型情報表示装置１０３で表示された画像データ等をメモリカード２０９に保存し、また、保存された画像データ等を携帯型情報表示装置１０３に読み込むために用いる。また、カードＩ／Ｆ部２０４から、メモリカード２０９に保存されたプログラムを受信するようにしてもよい。
【００２９】
データ通信手段２０１は、携帯電話機と無線ＬＡＮによる通信機能が内蔵されており、さらにプリンタ等の外部機器に無線接続するために、ＩＥＥＥ８０２．１５．１等の短距離無線通信や赤外線通信機能を備えてもよい。
【００３０】
センサ２０８は、加速度センサ、角速度センサ、ジャイロセンサ、地磁気センサ、位置検出センサ、音声センサ等で構成され、これらのセンサで検知された情報に基づいて、表示画面上に表示される画像が変化する。例えば、携帯型情報表示装置１０３が傾いていることが、センサにより検知された場合、その検知情報に基づいて、表示画面上の画像（静止画又は動画、２Ｄまたは３Ｄ画像を含む）も傾いて表示される。また、携帯型情報表示装置１０３のユーザの居場所が、センサにより検知された場合、その周辺の地図の画像を表示したり、周辺の店舗の広告を表示したりする。
【００３１】
次に、携帯型情報表示装置１０３の表示画面上に、電子出版物の実紙面イメージとともに広告を表示する方法について説明する。なお、携帯型情報表示装置１０３の表示画面上に表示される画像は、電子出版物に限らず、ウェブブラウザの表示画面、アプリケーションウィンドウ内の表示画面であってもよく、静止画、動画、アニメーション、２Ｄ、３Ｄ等のすべての画像を含む。
【００３２】
携帯型情報表示装置１０３に配信して掲載する広告は、例えば、広告制作会社等の端末（図示せず）と通信ネットワークを介して接続し、ＦＴＰサーバ１０８を用いて受信してデータベース１１６に保存する。その際、情報配信装置１０７は、画像情報のみの場合は、新聞等の出版物の画像情報と同様の処理を行って画像データ及びテキストデータを生成し、そのデータをデータベース１１６に保存する。広告制作会社等の端末装置からＦＴＰサーバ１０８を介して直接配信可能な処理済みのデータを受信した場合、または予め直接配信可能なデータとして入手した場合は、そのまま、携帯型情報表示装置１０３に表示する広告情報として、画像、テキスト及び音声を含むこれらのデータをデータベース１１６に保存する。
【００３３】
携帯型情報表示装置１０３に配信してその表示画面上に表示される電子出版物の画像としては、新聞、書籍、雑誌、タウン誌、小説、マンガ等、様々なコンテンツが対象となりうるが、これらの画像とともに広告も同一画面上に表示させることができる。これは、予めこれらのコンテンツを表示するアプリケーションにそのためのソフトを組み込んでおくことで、広告情報を配信して表示させることができる。したがって、ユーザが配信を希望したコンテンツのアクセス履歴を統計処理することで、配信する広告の種類をユーザの嗜好に応じて選択するいわゆる「ターゲット広告」とすることが可能になる。ユーザの嗜好を判断するための統計処理としては、新聞の場合はアクセスの多い紙面を、小説、雑誌、マンガの場合はその種類及びその内容を、タウン誌の場合は場所及び店舗の種類等を、そのアクセス情報として携帯型情報表示装置１０３内で生成し、情報配信装置１０７に送信する。情報配信装置１０７は、これらの情報をアクセス履歴としてデータベース１１７に保存し、そのアクセス履歴を解析することによって、ユーザの嗜好を判断して配信する広告内容を決定する。また、データベース１１７に保存されているユーザの居住地域、年齢、性別、趣味、嗜好、職業等のユーザ情報を解析して、配信する広告内容を決定する。例えば、ユーザの趣味が自動車の場合は、自動車に関する広告を配信したり、ユーザの趣味が音楽である場合は、好きな種類の音楽のＣＤ等の広告を配信したりする。
【００３４】
携帯型情報表示装置１０３に表示される広告は、実紙面イメージの画像にオーバーラップして表示される。広告情報の表示は、表示画面内の、例えば、プルアップメニューのようにアニメーション表示によって下側から迫り出して表示することもできる。アニメーションを伴って表示される場合は、下側に限らず上、左右の横、中央の点からズームアップ、または表示画面内に表示された広告アイコンからズームアップして表示することも可能である。このとき、実紙面イメージの画像にオーバーラップして表示される広告情報は、半透過の表示画像として表示することもできる。
【００３５】
図３は、複数の画像をオーバーラップして表示画面上に表示する処理の概念図である。図３に示すように、携帯型情報表示装置１０３の表示画面上に表示される画像は、いくつかのレイヤの表示データが合成されて同一画面上に表示される。この合成処理は、画像処理手段２１０によって行われる。例えば、図３に示す例では、動画レイヤ、紙面レイヤ（３Ｄ）、半透明動画レイヤの３つのレイヤの概念が存在する。実際の処理は、携帯型情報表示装置１０３のハードウェア性能に適した処理（ハードウェア処理、ソフトウェア処理）で行われる。また、レイヤ数、優先度は任意に決定でき、優先度が高いレイヤが前面に迫り出して表示される。
【００３６】
図４は、携帯型情報表示装置１０３の一例を示す外観図である。図４に示す携帯型情報表示装置１０３は、スマートフォン型の携帯情報端末装置に適用した一例であり、ＬＣＤ、タッチパネル等を用いて表示する表示画面と、その下部に操作ボタンを備えている。図４の例では、表示画面の上部に新聞の紙面イメージが表示されており、表示画面の下部に広告が表示されている。この場合、広告表示の方が、新聞紙面表示よりも優先度が高く設定されており、広告が前面に迫り出して表示されている。
【００３７】
携帯型情報表示装置１０３の表示画面上に図４のような画面の表示をするには、紙面の画像は、必ずしも同じ状態ではないため（拡大されたり、ずらされたりする）、記憶手段２０６から紙面の画像を取り込み、その画像をテクスチャとして２Ｄ／３Ｄオブジェクトに貼り付け、それを動画と同期して表示する。また、紙面の画像を取り込む代わりに、各ページに合わせた広告を用意し、再生することもできる。
【００３８】
図５及び図６は、携帯型情報表示装置１０３の表示画面上に表示される広告デモンストレーションの一例を示す図である。図５は、図４に示した携帯型情報表示装置１０３の外観図であるが、表示画面上に表示される画像が異なっている。例えば、携帯型情報表示装置１０３の表示画面内には、携帯型情報表示装置１０３を左手で持っている画像（動画）が表示されており、この画像は時間の経過とともに変化する（すなわち、動画となっている）。すなわち、左手で持った携帯型情報表示装置の画像が縮小・拡大して表示される。この画像は、図６（ａ）に示す紙面レイヤと、図６（ｂ）に示す動画レイヤの合成によって実現されている。具体的には、図６（ａ）は、紙面の画像データをテクスチャにした３Ｄオブジェクト（ここでは、平面のオブジェクトで示されている。）を示している。図６（ｂ）では、動画が垂れ流しで再生されている。そして、動画の動きに合わせて、３Ｄオブジェクトが動いて紙面の拡大・縮小・回転・移動等を行い、動画と紙面を同期させて広告デモンストレーションを実現している。
【００３９】
図７は、携帯型情報表示装置１０３の表示画面上に表示される広告デモンストレーションの他の一例を示す図であり、（ａ）は動画の初期の表示、（ｂ）は動画の途中の表示を示す。図７は携帯型情報表示装置１０３の表示画面を示すが、上部に新聞の紙面、下部に広告が表示されている。また、広告レイヤの方が優先度は高く、前面に迫り出して表示されている。例えば、図７（ａ）の下部の広告部分に指で触れると、タッチパネルが反応し、広告デモンストレーションが開始され、紙面を含む表示画面全体の画像が変化する。具体的には、図７（ｂ）のように、紙面が破れて、煙のようなものを表示し、最終的には広告デモンストレーションに関連するウェブページが表示される。この広告デモンストレーションは、表示画面のスクリーンショットのキャプチャ（取り込み）をし、崩れていくアニメーションを表現するオブジェクトにテクスチャマッピングして実現している。また、半透明レイヤで煙等を表現している。
【００４０】
以上説明した広告デモンストレーションは、３Ｄアニメーション・ファイルを用いて実現される。図８は、３Ｄアニメーション・ファイルの概念図であり、（ａ）は図５で示した広告デモンストレーションの定義ファイル、（ｂ）は図７で示した広告デモンストレーションの定義ファイルを示す。３Ｄアニメーション・ファイルは、アニメーションの動きを定義したファイルであり、図８に示すような動きを表している。この３Ｄアニメーション・ファイルは、図３又は図６（ａ）の紙面レイヤに対応する。図８に示す図形は、３Ｄオブジェクトの形状変化のみを表したものであり、各図形は白抜き又は黒く塗りつぶされている。例えば、図８（ａ）の場合は、時間の経過とともに図形が縮小している。また、図８（ｂ）の場合は、時間の経過とともに図形に亀裂が生じ、分割していく様子が表現されている。具体的には、図８（ｂ）の左側の図は、かけらのオブジェクトが１つに集まっている初期状態を表している（割れていないように見える。）。図８（ｂ）の中央の図は、それぞれのオブジェクトを少し離し、亀裂が入ったように見せている。また、図８（ｂ）の右側の図は、オブジェクト同士が完全に離れ、砕け散ったように見せている。図８に示す図形に、スクリーンショットした紙面の画像をテクスチャとして貼り付けて３Ｄアニメーション・ファイルに従って変化させる。広告デモンストレーションが開始する直前の紙面のスクリーンショットを３Ｄオブジェクトにテクスチャマッピングした結果が、図３又は図６（ａ）の紙面レイヤに表示されているものである。３Ｄアニメーション・ファイルは、情報配信装置１０７から配信され、Ｗｅｂサーバ１１０、インターネット１０４及びデータ通信手段２０１を介して、記憶手段２０６に保存され、３Ｄアニメーション・ファイルが、適宜選択されて、画像処理手段２１０で、スクリーンショットした画像と組み合わせて表示画面上に表示される。また、３Ｄアニメーション・ファイルにおいて、センサによって検知した情報に基づいて３Ｄオブジェクトの動きを変化させることもできる。なお、３Ｄアニメーション・ファイルは、３Ｄオブジェクトの形状の時間変化のみならず、３Ｄオブジェクトの移動の時間変化も表している。また、図８（ａ）では、長方形の図形が時間の経過とともに縮小していく形態を示したが、図形の形状が変化していく形態も考えられる（例えば、長方形が丸くなっていく形態など）。
【００４１】
このように、そのときまで表示していた画面から違和感なく３Ｄ表示や動画再生を伴う多彩な広告デモンストレーションに引き継ぐので、閲覧中のウェブサイトや電子印刷物と調和した広告とすることができる。
【００４２】
また、携帯型情報表示装置１０３は、現在位置、方向、加速度、照度、音等の情報を取得するセンサ２０８を備えており、ユーザ情報（属性）、時間、閲覧中の表示内容、位置情報、方角、傾き情報等をパラメータとして広告の選択、広告表示の有無、広告表示ページ、広告の表示位置、広告の内容（広告の表示・変化・動き等）を決定する。
【００４３】
次に、図９を参照して、携帯型情報表示装置１０３の加速度センサの情報を広告用３Ｄ形状データに反映させる例を説明する。図９は、加速度センサの傾き情報から広告内のオブジェクトを傾ける処理の一例を示す図である。この処理は、主に、画像処理手段２１０によって実施される。まず、（ａ）携帯型情報表示装置１０３が傾いた場合、加速度センサがその傾きを検知し、（ｂ）ＡＰＩ（Application Program Interface）を呼び出して、傾きの度合いの情報を（ｘ，ｙ，ｚ）座標として取得する。続いて、（Ｃ）３Ｄ形状のオブジェクト頂点座標配列を求めて、ＯｐｅｎＧＬ（登録商標）／ＥＳレンダリングパイプライン処理を行い、その結果をフレームバッファへ出力する。ＯｐｅｎＧＬ（登録商標）／ＥＳレンダリングパイプラインでは、プリミティブ処理を行い、角度を付けたり、影を付けたり、明暗を調整したりして座標変換とライティングを行い、３Ｄと連動してキャプチャ画像が動くようにプリミティブ合成を行い、３次元データを２次元化するためラスタライザを行い、オブジェクトに紙面イメージ等を貼り付けるテクスチャ処理を行い、他のレイヤとの合成（例えば煙を表示する）、その他ブレンディング等を行い、その結果をフレームバッファへ出力する。これにより、携帯型情報表示装置１０３の表示画面に表示される３Ｄ画像が、携帯型情報表示装置１０３の傾きに連動して一緒に傾く。
【００４４】
したがって、本発明の一実施形態による携帯型情報表示装置によれば、そのときまで表示していた画面から違和感なく（シームレスに、繋ぎ目なく、自然に）３Ｄ表示や動画再生を伴う多彩な広告デモンストレーションに引き継ぐので、閲覧中のウェブサイトや電子出版物と調和した広告とすることができる。
【００４５】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【符号の説明】
【００４６】
１０１  情報配信センター
１０２  情報表示装置（ＰＣ）
１０３  携帯型情報表示装置
１０４  インターネット
１０５  アクセスポイント
１０６  携帯電話通信網
１０７  情報配信装置
１０８  ＦＴＰ（File Transfer Protocol）サーバ
１０９  管理サーバ
１１０  Ｗｅｂサーバ
１１１  広告サーバ
１１２  ユーザ情報サーバ
１１３  課金サーバ
１１４  処理プログラム
１１５  データベース（画像データ、属性情報、ＸＭＬデータ）
１１６  データベース（広告コンテンツ）
１１７  データベース（ユーザ情報、課金情報）
２０１  データ通信手段
２０２  入力手段（操作部）
２０３  外部入出力手段
２０４  カードＩ／Ｆ部
２０５  制御手段（ＣＰＵ）
２０６  記憶手段
２０７  表示手段
２０８  センサ
２０９  メモリカード
２１０  画像処理手段
２１１  ３Ｄ演算部
２１２  ３Ｄ描画部
２１３  ２Ｄ描画部
２１４  画像合成部
【図１】
2011103073.tif 000003
【図２】
2011103073.tif 000004
【図３】
2011103073.tif 000005
【図８】
2011103073.tif 000006
【図９】
2011103073.tif 000007
【図４】
2011103073.tif 000008
【図５】
2011103073.tif 000009
【図６】
2011103073.tif 000010
【図７】
2011103073.tif 000011